(57)【要約】  電子マネーのチャージ金額を含むチャージ要求を取得し、チャージ要求に基づいて、チャージ金額の承認要求を端末装置に送信し、端末装置にてチャージ承認が入力された場合、登録データに基づいて、金融機関システムに対して、振替元口座から電子マネー発行機関システムへの即時口座振替によるプリペイドカードへのチャージ指示を送信する。
2020059030.tif 000002
【特許請求の範囲】
【請求項１】
電子マネー発行機関システム、金融機関システム、入出力部を備えた端末装置、および、記憶部と制御部とを備えたリアルタイムチャージ支払装置を通信可能に接続したリアルタイムチャージ支払システムであって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部は、
前記電子マネーのチャージ金額を含むチャージ要求を取得するチャージ要求取得手段と、
前記チャージ要求に基づいて、前記チャージ金額の承認要求を前記端末装置に送信する承認要求送信手段と、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、
を備えたことを特徴とするリアルタイムチャージ支払システム。
【請求項２】
前記承認要求送信手段は、
前記チャージ要求に基づいて、前記チャージ金額の承認要求画面を前記端末装置に表示させるように制御することを特徴とする請求項１に記載のリアルタイムチャージ支払システム。
【請求項３】
前記口座振替指示送信手段は、
前記端末装置の前記入出力部を介して前記承認要求画面に暗証番号を含む前記チャージ承認が入力された場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項２に記載のリアルタイムチャージ支払システム。
【請求項４】
前記口座振替指示送信手段は、
前記端末装置の前記入出力部を介して前記チャージ承認となる生体データが入力され、生体認証がされた場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項２に記載のリアルタイムチャージ支払システム。
【請求項５】
前記口座振替指示送信手段は、
前記端末装置の前記入出力部を介して前記チャージ承認となる生体データが入力され、前記登録者識別データに基づいて、生体認証をした場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項１または２に記載のリアルタイムチャージ支払システム。
【請求項６】
前記制御部は、
前記金融機関システムから前記プリペイドカードへの口座振替結果を受信した場合、前記端末装置にチャージ完了報告を送信するチャージ完了報告送信手段、
を更に備えたことを特徴とする請求項１から５のいずれか一つに記載のリアルタイムチャージ支払システム。
【請求項７】
前記リアルタイムチャージ支払システムは、
更に、電子マネー読取端末装置を備え、
前記チャージ要求取得手段は、
前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とする請求項１から６のいずれか一つに記載のリアルタイムチャージ支払システム。
【請求項８】
前記チャージ金額は、
前記請求金額から前記チャージ残高を差し引いた差額であることを特徴とする請求項７に記載のリアルタイムチャージ支払システム。
【請求項９】
前記チャージ要求取得手段は、
前記端末装置の前記入出力部を介して前記チャージ金額を含む前記チャージ要求が入力された場合、当該端末装置から送信される前記チャージ要求を取得することを特徴とする請求項１から６のいずれか一つに記載のリアルタイムチャージ支払システム。
【請求項１０】
前記プリペイドカードは、
前記端末装置にインストールされた当該プリペイドカードの機能を搭載したアプリケーションソフトウェアであることを特徴とする請求項１から９のいずれか一つに記載のリアルタイムチャージ支払システム。
【請求項１１】
電子マネー発行機関システム、金融機関システム、および、入出力部を備えた端末装置に通信可能に接続された、記憶部と制御部とを備えたリアルタイムチャージ支払装置であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部は、
前記電子マネーのチャージ金額を含むチャージ要求を取得するチャージ要求取得手段と、
前記チャージ要求に基づいて、前記チャージ金額の承認要求を前記端末装置に送信する承認要求送信手段と、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、
を備えたことを特徴とするリアルタイムチャージ支払装置。
【請求項１２】
電子マネー発行機関システム、金融機関システム、入出力部を備えた端末装置、および、記憶部と制御部とを備えたリアルタイムチャージ支払装置を通信可能に接続したリアルタイムチャージ支払システムに実行させるためのリアルタイムチャージ支払方法であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部で実行させる、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を含むことを特徴とするリアルタイムチャージ支払方法。
【請求項１３】
電子マネー発行機関システム、金融機関システム、および、入出力部を備えた端末装置に通信可能に接続された、記憶部と制御部とを備えたリアルタイムチャージ支払装置に実行させるためのリアルタイムチャージ支払方法であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部で実行させる、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を含むことを特徴とするリアルタイムチャージ支払方法。
【請求項１４】
電子マネー発行機関システム、金融機関システム、および、入出力部を備えた端末装置に通信可能に接続された、記憶部と制御部とを備えたリアルタイムチャージ支払装置に実行させるためのリアルタイムチャージ支払プログラムであって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部において、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を実行させるためのリアルタイムチャージ支払プログラム。
【発明の詳細な説明】
【技術分野】
【０００１】
本発明は、リアルタイムチャージ支払システム、リアルタイムチャージ支払装置、リアルタイムチャージ支払方法、および、リアルタイムチャージ支払プログラムに関する。
【背景技術】
【０００２】
従来、決済方法としては、プリペイド、ポストペイ、または、即時支払等の方法があり、それぞれのサービスが提供されていた。
【発明の概要】
【発明が解決しようとする課題】
【０００３】
しかしながら、従来の決済処理においては、プリペイドの場合、チャージに手間がかかる、いつでも何処でも好きな時にチャージできない、または、紛失または盗難の際にチャージした金額が戻らない等の課題があり、ポストペイの場合、後日支払の際に事前に口座残高を確認して準備する必要があり、使いすぎてしまうことがあり、気付かずに他人に使われた際に多額利用されてしまうことがある等の課題があり、代引の場合、品物を引取る際に不在にできない等の課題があり、即時決済の場合、その時の手持ちの現金または口座残高の範囲でしか支払いができないので、急な高額の買物ができない等の課題があった。【０００４】
本発明は、上記問題点に鑑みてなされたものであって、プリペイドカードの読取装置へのタッチまたはスマートフォンで受付ける支払データをその都度確認し、それに必要な金額を、銀行口座から即時にプリペイドカードにチャージして、そのチャージ金額で即時支払をすることができるリアルタイムチャージ支払システム、リアルタイムチャージ支払装置、リアルタイムチャージ支払方法、および、リアルタイムチャージ支払プログラムを提供することを目的とする。
【課題を解決するための手段】
【０００５】
上述した課題を解決し、目的を達成するために、本発明に係るリアルタイムチャージ支払システムは、電子マネー発行機関システム、金融機関システム、入出力部を備えた端末装置、および、記憶部と制御部とを備えたリアルタイムチャージ支払装置を通信可能に接続したリアルタイムチャージ支払システムであって、前記記憶部は、電子マネーのリアルタイムチャージの登録者の登録者識別データとプリペイドカードデータと金融機関の振替元口座データとを含む登録データを記憶する登録記憶手段、を備え、前記制御部は、前記電子マネーのチャージ金額を含むチャージ要求を取得するチャージ要求取得手段と、前記チャージ要求に基づいて、前記チャージ金額の承認要求を前記端末装置に送信する承認要求送信手段と、前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、を備えたことを特徴とする。【０００６】
また、本発明に係るリアルタイムチャージ支払システムにおいて、前記承認要求送信手段は、前記チャージ要求に基づいて、前記チャージ金額の承認要求画面を前記端末装置に表示させるように制御することを特徴とする。【０００７】
また、本発明に係るリアルタイムチャージ支払システムにおいて、前記口座振替指示送信手段は、前記端末装置の前記入出力部を介して前記承認要求画面に暗証番号を含む前記チャージ承認が入力された場合、前記登録データに基づいて、前記金融機関システムに対して、前記振替元口座から前記電子マネー発行機関システムへの前記即時口座振替による前記プリペイドカードへの前記チャージ指示を送信することを特徴とする。【０００８】
また、本発明に係るリアルタイムチャージ支払システムにおいて、前記口座振替指示送信手段は、前記端末装置の前記入出力部を介して前記チャージ承認となる生体データが入力され、生体認証がされた場合、前記登録データに基づいて、前記金融機関システムに対して、前記振替元口座から前記電子マネー発行機関システムへの前記即時口座振替による前記プリペイドカードへの前記チャージ指示を送信することを特徴とする。【０００９】
また、本発明に係るリアルタイムチャージ支払システムにおいて、前記口座振替指示送信手段は、前記端末装置の前記入出力部を介して前記チャージ承認となる生体データが入力され、前記登録者識別データに基づいて、生体認証をした場合、前記登録データに基づいて、前記金融機関システムに対して、前記振替元口座から前記電子マネー発行機関システムへの前記即時口座振替による前記プリペイドカードへの前記チャージ指示を送信することを特徴とする。【００１０】
また、本発明に係るリアルタイムチャージ支払システムにおいて、前記制御部は、前記金融機関システムから前記プリペイドカードへの口座振替結果を受信した場合、前記端末装置にチャージ完了報告を送信するチャージ完了報告送信手段、を更に備えたことを特徴とする。【００１１】
また、本発明に係るリアルタイムチャージ支払システムにおいて、前記リアルタイムチャージ支払システムは、更に、電子マネー読取端末装置を備え、前記チャージ要求取得手段は、前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とする。【００１２】
また、本発明に係るリアルタイムチャージ支払システムにおいて、前記チャージ金額は、前記請求金額から前記チャージ残高を差し引いた差額であることを特徴とする。【００１３】
また、本発明に係るリアルタイムチャージ支払システムにおいて、前記チャージ要求取得手段は、前記端末装置の前記入出力部を介して前記チャージ金額を含む前記チャージ要求が入力された場合、当該端末装置から送信される前記チャージ要求を取得することを特徴とする。【００１４】
また、本発明に係るリアルタイムチャージ支払システムにおいて、前記プリペイドカードは、前記端末装置にインストールされた当該プリペイドカードの機能を搭載したアプリケーションソフトウェアであることを特徴とする。【００１５】
また、本発明に係るリアルタイムチャージ支払装置において、電子マネー発行機関システム、金融機関システム、および、入出力部を備えた端末装置に通信可能に接続された、記憶部と制御部とを備えたリアルタイムチャージ支払装置であって、前記記憶部は、電子マネーのリアルタイムチャージの登録者の登録者識別データとプリペイドカードデータと金融機関の振替元口座データとを含む登録データを記憶する登録記憶手段、を備え、前記制御部は、前記電子マネーのチャージ金額を含むチャージ要求を取得するチャージ要求取得手段と、前記チャージ要求に基づいて、前記チャージ金額の承認要求を前記端末装置に送信する承認要求送信手段と、前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、を備えたことを特徴とする。【００１６】
また、本発明に係るリアルタイムチャージ支払方法は、電子マネー発行機関システム、金融機関システム、入出力部を備えた端末装置、および、記憶部と制御部とを備えたリアルタイムチャージ支払装置を通信可能に接続したリアルタイムチャージ支払システムに実行させるためのリアルタイムチャージ支払方法であって、前記記憶部は、電子マネーのリアルタイムチャージの登録者の登録者識別データとプリペイドカードデータと金融機関の振替元口座データとを含む登録データを記憶する登録記憶手段、を備え、前記制御部で実行させる、前記電子マネーのチャージ金額を含むチャージ要求を取得するチャージ要求取得ステップと、前記チャージ要求に基づいて、前記チャージ金額の承認要求を前記端末装置に送信する承認要求送信ステップと、前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、を含むことを特徴とする。【００１７】
また、本発明に係るリアルタイムチャージ支払方法は、電子マネー発行機関システム、金融機関システム、および、入出力部を備えた端末装置に通信可能に接続された、記憶部と制御部とを備えたリアルタイムチャージ支払装置に実行させるためのリアルタイムチャージ支払方法であって、前記記憶部は、電子マネーのリアルタイムチャージの登録者の登録者識別データとプリペイドカードデータと金融機関の振替元口座データとを含む登録データを記憶する登録記憶手段、を備え、前記制御部で実行させる、前記電子マネーのチャージ金額を含むチャージ要求を取得するチャージ要求取得ステップと、前記チャージ要求に基づいて、前記チャージ金額の承認要求を前記端末装置に送信する承認要求送信ステップと、前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、を含むことを特徴とする。【００１８】
また、本発明に係るリアルタイムチャージ支払プログラムは、電子マネー発行機関システム、金融機関システム、および、入出力部を備えた端末装置に通信可能に接続された、記憶部と制御部とを備えたリアルタイムチャージ支払装置に実行させるためのリアルタイムチャージ支払プログラムであって、前記記憶部は、電子マネーのリアルタイムチャージの登録者の登録者識別データとプリペイドカードデータと金融機関の振替元口座データとを含む登録データを記憶する登録記憶手段、を備え、前記制御部において、前記電子マネーのチャージ金額を含むチャージ要求を取得するチャージ要求取得ステップと、前記チャージ要求に基づいて、前記チャージ金額の承認要求を前記端末装置に送信する承認要求送信ステップと、前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、を実行させることを特徴とする。
【発明の効果】
【００１９】
本発明によれば、プリペイド方式だが、事前にチャージしておく必要がないという効果を奏する。また、本発明によれば、大きな金額の支払もできるという効果を奏する。また、本発明によれば、プリペイド残高を常に少額としておくことで紛失や盗難の場合でも、損害を最小化できるという効果を奏する。また、本発明によれば、その時の口座残高の範囲（口座残高以下）に支払いが限定されるので、使いすぎることはないという効果を奏する。また、本発明によれば、請求と支払とをその時点で完了させ、決済がその場で終わるので、後日精算が無いという効果を奏する。すなわち、本発明によれば、チャージした金額で即時支払することができるという効果を奏する。
【図面の簡単な説明】
【００２０】
【図１】図１は、従来のプリペイドカード支払処理の一例を示す図である。
【図２】図２は、本実施形態におけるリアルタイムチャージ支払システムの構成の一例を示すブロック図である。
【図３】図３は、本実施形態におけるリアルタイムチャージ支払システムの処理の一例を示すフローチャートである。
【図４】図４は、本実施形態におけるリアルタイムチャージ支払処理の一例を示すフロー図である。
【図５】図５は、本実施形態におけるリアルタイムチャージ支払処理の一例を示すフロー図である。
【発明を実施するための形態】
【００２１】
本発明の実施形態を図面に基づいて詳細に説明する。なお、本発明は本実施形態により限定されるものではない。
【００２２】
［１．概要］
まず、図１を参照して、本発明の概要を説明する。図１は、従来のプリペイドカード支払処理の一例を示す図である。
【００２３】
図１に示すように、従来、ユーザが電子マネーチャージ機に現金を入金することでプリペイドカードにチャージした後に（ステップＳＡ−１）、プリペイドカードのチャージ金額内で購入商品の支払を行った場合、店頭の電子マネー読取端末装置から電子マネー発行機関システムに代金が請求され（ステップＳＡ−２）、電子マネー発行機関システムにてチャージ残高の確認後、代金が引き落とされ（ステップＳＡ−３）、電子マネー発行機関システムから決済結果が通知されていた（ステップＳＡ−４）。
【００２４】
このように、従来のプリペイドサービスを利用する場合、その時にチャージされている金額が利用できる上限であるが、本実施形態においては、利用したい金額を即時に指定銀行口座からチャージして、その時に利用することができるようにしている。そのため、本実施形態においては、プリペイドカードのチャージ残高を常に０円で利用でき、万一紛失や盗難にあったとしても、被害は防ぐことができるようにしている。また、本実施形態においては、即時チャージするための指定銀行口座にある口座残高を支払い上限とすることができるようにしている。また、本実施形態においては、決済時の利用主体がプリペイドサービスであるため、従来から存在するすべての各種プリペイドサービスを対象とすることができるようにしている。
【００２５】
［２．リアルタイムチャージ支払システムの構成］
本実施形態に係る電子マネー読取端末装置４００、電子マネー発行機関システム５００、金融機関システム（エレクトロニックバンキングシステム）６００、端末装置１００、および、サーバ（リアルタイムチャージ支払装置）２００を通信可能に接続したリアルタイムチャージ支払システムの構成の一例について、図２を参照して説明する。図２は、本実施形態におけるリアルタイムチャージ支払システムの構成の一例を示すブロック図である。
【００２６】
［端末装置１００の構成］
図２において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。なお、端末装置１００は、指紋センサ端末、および／または、静脈センサ端末等の生体センサ端末であってもよい。
【００２７】
端末装置１００は、制御部１０２と記憶部１０６と撮影部１１０と入出力部１１２とを備えており、端末装置１００が備えている各部は、任意の通信路を介して通信可能に接続されている。
【００２８】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、および／または、音声認証に利用可能なマイク等であってもよい。また、入出力部１１２は、アプリケーション等の（入出力）情報を表示する表示部（例えば、液晶または有機ＥＬ等から構成されるディスプレイ、モニタ、および／または、タッチパネル等）であってもよい。また、入出力部１１２は、音声情報を音声として出力する音声出力部（例えば、スピーカ等）であってもよい。また、入出力部１１２は、指紋センサ、および／または、静脈センサ等の生体センサであってもよい。
【００２９】
撮影部１１０は、ＣＣＤイメージセンサまたはＣＭＯＳイメージセンサ等の撮像素子で撮影した画像（静止画および動画）をデジタルデータとして記録するカメラ等であってもよい。なお、撮影部１１０は、虹彩認証に利用可能なカメラであってもよい。
【００３０】
端末装置１００は、他の装置とネットワーク３００を介して通信可能に接続し、他の装置とデータを通信する機能を有する。ここで、ネットワーク３００は、電子マネー読取端末装置４００、電子マネー発行機関システム５００、金融機関システム６００、端末装置１００およびサーバ２００を相互に通信可能に接続する機能を有し、例えば、インターネットおよび／またはＬＡＮ（Ｌｏｃａｌ  Ａｒｅａ  Ｎｅｔｗｏｒｋ）等である。ここで、電子マネー読取端末装置４００は、様々な種類の非接触型プリペイドカードおよび／または接触型プリペイドカードを読取可能なマルチリーダ（電子マネー共通読取端末）であってもよく、単一種のプリペイドカードを読取可能な読取端末であってもよい。
【００３１】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、撮影部１１０にて記録された画像データ、ネットワーク３００を介して受信されたデータ、および／または、入出力部１１２を介して入力された入力データ等を記憶していてもよい。ここで、記憶部１０６は、ユーザの生体データ（指紋データ、静脈データおよび／または虹彩データ等）を記憶していてもよい。
【００３２】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、撮影部１１０にて記録された画像データの取得および画像データに含まれる文字データ（ＵＲＬ等）のデータ読取、ネットワーク３００を介したデータ送受信、入出力部１１２を介して入力された入力データの取得、ならびに、出力部１１２でのデータ（画面）表示等の各処理を実行してもよい。
【００３３】
［サーバ２００の構成］
図２において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、端末装置１００と相互に通信可能に接続されている。
【００３４】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、登録データベース２０６ａを備えている。
【００３５】
登録データベース２０６ａは、電子マネーのリアルタイムチャージの登録者の登録者識別データとプリペイドカードデータと金融機関の振替元口座データとを含む登録データを記憶する。ここで、登録者識別データは、登録者名、登録者住所、登録者電話番号、登録者個人番号（例えば、マイナンバー、社会保障番号または住民登録番号等）、登録暗証番号、登録者生体データ、登録者端末識別データ（ＭＡＣアドレス等）、および／または、登録者Ｅメールアドレス等を含んでいてもよい。また、プリペイドカードデータは、プリペイドカード識別子（例えば、ＩＤ等）、利用履歴、チャージ残高、所有者名、所有者住所、所有者電話番号、搭載端末識別データ、および／または、所有者Ｅメールアドレス等を含んでいてもよい。ここで、プリペイドカードは、端末装置１００にインストールされた当該プリペイドカードの機能を搭載したアプリケーションソフトウェアであってもよい。また、振替元口座データは、口座番号、口座名義、店番および／または預金種別コード等を含んでいてもよい。
【００３６】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、チャージ要求取得部２０２ａと、承認要求送信部２０２ｂと、口座振替指示送信部２０２ｃと、チャージ完了報告送信部２０２ｄとを備えている。
【００３７】
チャージ要求取得部２０２ａは、電子マネーのチャージ金額を含むチャージ要求を取得する。ここで、チャージ要求取得部２０２ａは、電子マネー読取端末装置４００にて読み取られたプリペイドカードのチャージ残高が請求金額より少ない場合、電子マネー発行機関システム５００から送信されるチャージ金額を含むチャージ要求を取得してもよい。ここで、チャージ金額は、請求金額からチャージ残高を差し引いた差額であってもよい。また、チャージ要求取得部２０２ａは、端末装置１００の入出力部１１２を介してチャージ金額を含むチャージ要求が入力された場合、当該端末装置１００から送信されるチャージ要求を取得してもよい。
【００３８】
承認要求送信部２０２ｂは、チャージ要求に基づいて、チャージ金額の承認要求を端末装置１００に送信する。ここで、承認要求送信部２０２ｂは、チャージ要求に基づいて、チャージ金額の承認要求画面を端末装置１００に表示させるように制御してもよい。また、承認要求は、端末装置１００への生体データの入力要求であってもよい。例えば、承認要求は、端末装置１００の入出力部１１２が指紋センサである場合、ユーザの指紋入力を誘導する指紋センサの点滅要求等であってもよい。
【００３９】
口座振替指示送信部２０２ｃは、端末装置１００の入出力部１１２を介してチャージ承認が入力された場合、登録データに基づいて、金融機関システム６００に対して、振替元口座から電子マネー発行機関システム５００への即時口座振替によるプリペイドカードへのチャージ指示を送信する。ここで、口座振替指示送信部２０２ｃは、端末装置１００の入出力部１１２を介して承認要求画面に暗証番号を含むチャージ承認が入力された場合、登録データに基づいて、金融機関システム６００に対して、振替元口座から電子マネー発行機関システム５００への即時口座振替によるプリペイドカードへのチャージ指示を送信してもよい。また、口座振替指示送信部２０２ｃは、端末装置１００の入出力部１１２を介してチャージ承認となる生体データが入力され、生体認証がされた場合、登録データに基づいて、金融機関システム６００に対して、振替元口座から電子マネー発行機関システム５００への即時口座振替によるプリペイドカードへのチャージ指示を送信してもよい。また、口座振替指示送信部２０２ｃは、端末装置１００の入出力部１１２を介してチャージ承認となる生体データが入力され、登録者識別データに基づいて、生体認証をした場合、登録データに基づいて、金融機関システム６００に対して、振替元口座から電子マネー発行機関システム５００への即時口座振替によるプリペイドカードへのチャージ指示を送信してもよい。
【００４０】
チャージ完了報告送信部２０２ｄは、端末装置１００にチャージ完了報告を送信する。ここで、チャージ完了報告送信部２０２ｄは、金融機関システム６００からプリペイドカードへの口座振替結果を受信した場合、端末装置１００にチャージ完了報告を送信してもよい。
【００４１】
［３．リアルタイムチャージ支払システムの処理］
本実施形態に係るリアルタイムチャージ支払システムの処理の一例について、図３から図５を参照して説明する。図３は、本実施形態におけるリアルタイムチャージ支払システムの処理の一例を示すフローチャートである。
【００４２】
図３に示すように、サーバ２００のチャージ要求取得部２０２ａは、電子マネーのチャージ金額を含むチャージ要求を取得する（ステップＳＢ−１）。
【００４３】
そして、サーバ２００の承認要求送信部２０２ｂは、チャージ要求取得部２０２ａにより取得されたチャージ要求に基づいて、チャージ金額の承認要求を端末装置１００に送信する（ステップＳＢ−２）。
【００４４】
そして、サーバ２００の口座振替指示送信部２０２ｃは、ユーザにより端末装置１００の入出力部１１２を介してチャージ承認が入力されたか否かを判定する（ステップＳＢ−３）。
【００４５】
そして、サーバ２００の口座振替指示送信部２０２ｃは、チャージ承認が入力されなかったと判定した場合（ステップＳＢ−３：Ｎｏ）、処理を終了する。
【００４６】
一方、サーバ２００の口座振替指示送信部２０２ｃは、チャージ承認が入力されたと判定した場合（ステップＳＢ−３：Ｙｅｓ）、処理をステップＳＢ−４に移行させる。
【００４７】
そして、サーバ２００の口座振替指示送信部２０２ｃは、登録データベース２０６ａに記憶された登録データに基づいて、金融機関システム６００に対して、振替元口座から電子マネー発行機関システム５００への即時口座振替によるプリペイドカードへのチャージ指示を送信する（ステップＳＢ−４）。
【００４８】
そして、サーバ２００のチャージ完了報告送信部２０２ｄは、金融機関システム６００からプリペイドカードへの口座振替結果を受信したか否かを判定する（ステップＳＢ−５）。
【００４９】
そして、サーバ２００のチャージ完了報告送信部２０２ｄは、金融機関システム６００からプリペイドカードへの口座振替結果を受信しなかったと判定した場合（ステップＳＢ−５：Ｎｏ）、処理を終了する。
【００５０】
一方、サーバ２００のチャージ完了報告送信部２０２ｄは、金融機関システム６００からプリペイドカードへの口座振替結果を受信したと判定した場合（ステップＳＢ−５：Ｙｅｓ）、処理をステップＳＢ−６に移行させる。
【００５１】
そして、サーバ２００のチャージ完了報告送信部２０２ｄは、端末装置１００にチャージ完了報告を送信し（ステップＳＢ−６）、処理を終了する。
【００５２】
ここで、図４および図５を参照して、本実施形態におけるリアルタイムチャージ支払処理の具体例について説明する。図４および図５は、本実施形態におけるリアルタイムチャージ支払処理の一例を示すフロー図である。
【００５３】
［リアルタイムチャージ支払処理（その１）］
図４に示すように、本実施形態においては、商品代金の支払いの際に、ユーザが非接触型プリペイドカードを店頭の電子マネー読取端末装置４００にかざした場合、電子マネー読取端末装置４００から電子マネー発行機関システム５００に商品代金の請求データが送信される（ステップＳＣ−１）。そして、本実施形態においては、電子マネー発行機関システム５００にてチャージ残高の確認後、残高不足の場合、電子マネー発行機関システム５００からサーバ２００に請求データおよびプリペイドカードデータを含むチャージ要求が送信された場合（ステップＳＣ−２）、サーバ２００からスマートフォン１００にチャージ金額の承認要求が送信される（ステップＳＣ−３）。そして、本実施形態においては、スマートフォン１００にてユーザにより非接触型プリペイドカードへのチャージ承認が入力された場合（ステップＳＣ−４）、スマートフォン１００からサーバ２００にチャージ承認が送信され（ステップＳＣ−５）、サーバ２００からエレクトロニックバンキングシステム６００に即時口座振替による非接触型プリペイドカードへのチャージ指示が送信される（ステップＳＣ−６）。そして、本実施形態においては、エレクトロニックバンキングシステム６００にて振替元口座から電子マネー発行機関システム５００への即時口座振替による非接触型プリペイドカードへのチャージ金額のチャージが実施された場合（ステップＳＣ−７）、エレクトロニックバンキングシステム６００からサーバ２００に口座振替結果が送信され（ステップＳＣ−８）、サーバ２００からスマートフォン１００に口座振替結果報告（チャージ完了報告）が送信される（ステップＳＣ−９）。そして、本実施形態においては、電子マネー発行機関システム５００にて承認されたチャージ金額による商品代金の決済が完了し、電子マネー発行機関システム５００から電子マネー読取端末装置４００に決済結果が通知される（ステップＳＣ−１０）。
【００５４】
このように、本実施形態においては、プリペイドカードの不足額を電子マネー発行機関システム５００からサーバ２００に連動させ、ユーザによるチャージ承認で電子マネー発行機関システム５００に資金補充し、プリペイドカード決済を可能としている。ここで、図４に示すように、本逐次チャージプリペイドサービスは、スマートフォン１００を利用して、各種の電子マネー発行機関システム５００へのリアルタイム入金を可能としているが、スマートフォン１００を利用しなくても、生体認証等で本人の確認ができ、銀行口座からの支払金額、プリペイドカードへの入金金額、および、本人の意思確認ができる機能を利用して、電子マネー発行機関システム５００へのリアルタイム入金を可能としてもよい。
【００５５】
［リアルタイムチャージ支払処理（その２）］
図５に示すように、本実施形態においては、ユーザが店頭にて商品の支払代金を店員から聞いた際に、ユーザがスマートフォン１００にプリペイドカードチャージ画面を開き、非接触型プリペイドカードへの２０，０００円のチャージ金額を含むチャージ要求を入力した場合（ステップＳＤ−１）、スマートフォン１００からサーバ２００にチャージ要求が送信される（ステップＳＤ−２）。そして、本実施形態においては、サーバ２００からスマートフォン１００にチャージ金額の承認要求が送信され（ステップＳＤ−３）、スマートフォン１００にてユーザにより非接触型プリペイドカードへのチャージ承認が入力された場合（ステップＳＤ−４）、スマートフォン１００からサーバ２００にチャージ承認が送信され（ステップＳＤ−５）、サーバ２００からエレクトロニックバンキングシステム６００に即時口座振替による非接触型プリペイドカードへのチャージ指示が送信される（ステップＳＤ−６）。そして、本実施形態においては、エレクトロニックバンキングシステム６００にて振替元口座から電子マネー発行機関システム５００への即時口座振替による非接触型プリペイドカードへのチャージ金額のチャージが実施された場合（ステップＳＤ−７）、エレクトロニックバンキングシステム６００からサーバ２００に口座振替結果が送信され（ステップＳＤ−８）、サーバ２００からスマートフォン１００に口座振替結果報告（チャージ完了報告）が送信される（ステップＳＤ−９）。そして、本実施形態においては、ユーザがチャージの完了した非接触型プリペイドカードを店頭の電子マネー読取端末装置４００にかざした場合、電子マネー読取端末装置４００から電子マネー発行機関システム５００に商品代金が請求され（ステップＳＤ−１０）、電子マネー発行機関システム５００にてチャージ残高の確認後、代金が引き落とされ（ステップＳＤ−１１）、電子マネー発行機関システム５００から電子マネー読取端末装置４００に決済結果が通知される（ステップＳＤ−１２）。
【００５６】
このように、本実施形態においては、プリペイドカードチャージ画面を立ち上げ、入金額をサーバ２００に連動させ、ユーザによるチャージ承認で電子マネー発行機関システム５００に資金補充し、プリペイドカード決済を可能としている。ここで、図５に示すように、リアルタイムプリペイドチャージサービスは、スマートフォン１００を利用して、各種の電子マネー発行機関システム５００へのリアルタイム入金を可能としているが、スマートフォン１００を利用しなくても、生体認証等で本人の確認ができ、銀行口座からの支払金額、プリペイドカードへの入金金額、および、本人の意思確認ができる機能を利用して、電子マネー発行機関システム５００へのリアルタイム入金を可能としてもよい。
【００５７】
また、本実施形態においては、チャージに手間がかからない。また、本実施形態においては、プリペイドカードを紛失または盗難した際に、チャージした金額が戻らない場合があるが、チャージ残高を常に少額に保つことができる。また、本実施形態においては、いつでも、何処でも、好きな時にチャージできる。また、本実施形態においては、気付かずに他人に使われた場合でも、口座残高を限定しておけば、事前に被害を制限できる。
【００５８】
［４．他の実施形態］
本発明は、上述した実施形態以外にも、請求の範囲に記載した技術的思想の範囲内において種々の異なる実施形態にて実施されてよいものである。
【００５９】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６０】
また、本明細書中や図面中で示した処理手順、制御手順、具体的名称、各処理の登録データや検索条件等のパラメータを含む情報、画面例、データベース構成については、特記する場合を除いて任意に変更することができる。
【００６１】
また、端末装置１００、サーバ２００および金融機関システム６００に関して、図示の各構成要素は機能概念的なものであり、必ずしも物理的に図示の如く構成されていることを要しない。
【００６２】
例えば、端末装置１００およびサーバ２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤなどの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６３】
また、このコンピュータプログラムは、端末装置１００およびサーバ２００に対して任意のネットワーク３００を介して接続されたアプリケーションプログラムサーバに記憶されていてもよく、必要に応じてその全部または一部をダウンロードすることも可能である。
【００６４】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６５】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００６６】
記憶部１０６および記憶部２０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００６７】
また、端末装置１００およびサーバ２００は、既知のパーソナルコンピュータまたはワークステーション等の情報処理装置として構成してもよく、また、任意の周辺装置が接続された当該情報処理装置として構成してもよい。また、端末装置１００およびサーバ２００は、当該装置に本実施形態で説明した処理を実現させるソフトウェア（プログラムまたはデータ等を含む）を実装することにより実現してもよい。
【００６８】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６９】
本発明は、プリペイド決済業務を行う金融業界において有用である。
【符号の説明】
【００７０】
１００  端末装置
１０２  制御部
１０６  記憶部
１１０  撮影部
１１２  入出力部
２００  サーバ
２０２  制御部
２０２ａ  チャージ要求取得部
２０２ｂ  承認要求送信部
２０２ｃ  口座振替指示送信部
２０２ｄ  チャージ完了報告送信部
２０６  記憶部
２０６ａ  登録データベース
３００  ネットワーク
【図１】
2020059030.tif 000003
【図２】
2020059030.tif 000004
【図３】
2020059030.tif 000005
【図４】
2020059030.tif 000006
【図５】
2020059030.tif 000007
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
電子マネー読取端末装置、電子マネー発行機関システム、金融機関システム、入出力部を備えた端末装置、および、記憶部と制御部とを備えたリアルタイムチャージ支払装置を通信可能に接続したリアルタイムチャージ支払システムであって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部は、
前記電子マネーのチャージ金額を含むチャージ要求を取得するチャージ要求取得手段と、
前記チャージ要求に基づいて、前記チャージ金額の承認要求を前記端末装置に送信する承認要求送信手段と、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、
を備え、
前記チャージ要求取得手段は、
前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とするリアルタイムチャージ支払システム。
【請求項２】
前記承認要求送信手段は、
前記チャージ要求に基づいて、前記チャージ金額の承認要求画面を前記端末装置に表示させるように制御することを特徴とする請求項１に記載のリアルタイムチャージ支払システム。
【請求項３】
前記口座振替指示送信手段は、
前記端末装置の前記入出力部を介して前記承認要求画面に暗証番号を含む前記チャージ承認が入力された場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項２に記載のリアルタイムチャージ支払システム。
【請求項４】
前記口座振替指示送信手段は、
前記端末装置の前記入出力部を介して前記チャージ承認となる生体データが入力され、生体認証がされた場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項２に記載のリアルタイムチャージ支払システム。
【請求項５】
前記口座振替指示送信手段は、
前記端末装置の前記入出力部を介して前記チャージ承認となる生体データが入力され、前記登録者識別データに基づいて、生体認証をした場合、前記登録データに基づいて、前記金融機関システムに対して、前記振替元口座から前記電子マネー発行機関システムへの前記即時口座振替による前記プリペイドカードへの前記チャージ指示を送信することを特徴とする請求項１または２に記載のリアルタイムチャージ支払システム。
【請求項６】
前記制御部は、
前記金融機関システムから前記プリペイドカードへの口座振替結果を受信した場合、前記端末装置にチャージ完了報告を送信するチャージ完了報告送信手段、
を更に備えたことを特徴とする請求項１から５のいずれか一つに記載のリアルタイムチャージ支払システム。
【請求項７】
前記チャージ金額は、
前記請求金額から前記チャージ残高を差し引いた差額であることを特徴とする請求項１から６のいずれか一つに記載のリアルタイムチャージ支払システム。
【請求項８】
前記チャージ要求取得手段は、
前記端末装置の前記入出力部を介して前記チャージ金額を含む前記チャージ要求が入力された場合、当該端末装置から送信される前記チャージ要求を取得することを特徴とする請求項１から６のいずれか一つに記載のリアルタイムチャージ支払システム。
【請求項９】
前記プリペイドカードは、
前記端末装置にインストールされた当該プリペイドカードの機能を搭載したアプリケーションソフトウェアであることを特徴とする請求項１から８のいずれか一つに記載のリアルタイムチャージ支払システム。
【請求項１０】
電子マネー読取端末装置、電子マネー発行機関システム、金融機関システム、および、入出力部を備えた端末装置に通信可能に接続された、記憶部と制御部とを備えたリアルタイムチャージ支払装置であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部は、
前記電子マネーのチャージ金額を含むチャージ要求を取得するチャージ要求取得手段と、
前記チャージ要求に基づいて、前記チャージ金額の承認要求を前記端末装置に送信する承認要求送信手段と、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信手段と、
を備え、
前記チャージ要求取得手段は、
前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とするリアルタイムチャージ支払装置。
【請求項１１】
電子マネー読取端末装置、電子マネー発行機関システム、金融機関システム、入出力部を備えた端末装置、および、記憶部と制御部とを備えたリアルタイムチャージ支払装置を通信可能に接続したリアルタイムチャージ支払システムに実行させるためのリアルタイムチャージ支払方法であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部で実行させる、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を含み、
前記チャージ要求取得ステップにて、
前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とするリアルタイムチャージ支払方法。
【請求項１２】
電子マネー読取端末装置、電子マネー発行機関システム、金融機関システム、および、入出力部を備えた端末装置に通信可能に接続された、記憶部と制御部とを備えたリアルタイムチャージ支払装置に実行させるためのリアルタイムチャージ支払方法であって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部で実行させる、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を含み、
前記チャージ要求取得ステップにて、
前記電子マネー読取端末装置にて読み取られた前記プリペイドカードのチャージ残高が請求金額より少ない場合、前記電子マネー発行機関システムから送信される前記チャージ金額を含む前記チャージ要求を取得することを特徴とするリアルタイムチャージ支払方法。
【請求項１３】
電子マネー読取端末装置、電子マネー発行機関システム、金融機関システム、および、入出力部を備えた端末装置に通信可能に接続された、記憶部と制御部とを備えたリアルタイムチャージ支払装置に実行させるためのリアルタイムチャージ支払プログラムであって、
前記記憶部は、
電子マネーのリアルタイムチャージの登録者の登録者識別データとプリペイドカードデータと金融機関の振替元口座データとを含む登録データを記憶する登録記憶手段、
を備え、
前記制御部において、
前記電子マネーのチャージ金額を含むチャージ要求を取得するチャージ要求取得ステップと、
前記チャージ要求に基づいて、前記チャージ金額の承認要求を前記端末装置に送信する承認要求送信ステップと、
前記端末装置の前記入出力部を介してチャージ承認が入力された場合、前記登録データに基づいて、前記金融機関システムに対して、振替元口座から前記電子マネー発行機関システムへの即時口座振替によるプリペイドカードへのチャージ指示を送信する口座振替指示送信ステップと、
を実行させ、
前記チャージ要求取得ステップにて、
前記電子マネー読取端末装置にて読み取られた前記プリペイドカードのチャージ残高が請求金額より少ない場合、前記電子マネー発行機関システムから送信される前記チャージ金額を含む前記チャージ要求を取得するためのリアルタイムチャージ支払プログラム。
【国際調査報告】
2020059030.tif 000008
2020059030.tif 000009
2020059030.tif 000010
2020059030.tif 000011